(57)【要約】      （修正有）【課題】液抜け性に優れた洗浄用保持具を提供する。【解決手段】洗浄用保持具１０を所定方向に貫通する貫通孔２１を囲む枠状の枠部２０と、枠部から枠部の内側に向かって第１方向に突出する第１突出部３１ａ，３１ｂと、枠部から枠部の内側に向かって第２方向に突出する第２突出部３２ａ，３２ｂと、枠部の内側に配置される複数の受部４１ａ,４１ｂ，４２と、少なくとも第１突出部の先端と第２突出部の先端と受部とによって構成され、洗浄対象物Ｍが収容される収容部６０と、を備える。第１突出部は、第１方向両側の部分に少なくとも１つずつ設けられ、洗浄対象物を第１方向両側において支持可能である。第２突出部は、第２方向両側の部分に少なくとも１つずつ設けられ、洗浄対象物を第２方向両側において支持可能である。複数の受部は、洗浄対象物を所定方向一方側において支持可能であり、互いに離れた位置に配置される。【選択図】図４
2018202271.tif 000002
【特許請求の範囲】
【請求項１】
洗浄対象物を保持する洗浄用保持具であって、
前記洗浄用保持具を所定方向に貫通する貫通孔を囲む枠状の枠部と、
前記所定方向に沿って視て、前記枠部から前記枠部の内側に向かって前記所定方向と直交する第１方向に突出する第１突出部と、
前記所定方向に沿って視て、前記枠部から前記枠部の内側に向かって、前記所定方向および前記第１方向の両方と直交する第２方向に突出する第２突出部と、
前記所定方向に沿って視て、前記枠部の内側に配置される複数の受部と、
少なくとも前記第１突出部の先端と前記第２突出部の先端と前記受部とによって構成され、前記洗浄対象物が収容される収容部と、
を備え、
前記第１突出部は、前記枠部における前記第１方向両側の部分に少なくとも１つずつ設けられ、かつ、前記収容部に収容される前記洗浄対象物を前記第１方向両側において支持可能であり、
前記第２突出部は、前記枠部における前記第２方向両側の部分に少なくとも１つずつ設けられ、かつ、前記収容部に収容される前記洗浄対象物を前記第２方向両側において支持可能であり、
前記複数の受部は、前記収容部に収容される前記洗浄対象物を前記所定方向一方側において支持可能であり、かつ、互いに離れた位置に配置される、洗浄用保持具。
【請求項２】
前記受部は、前記所定方向に沿って視て、前記枠部から前記枠部の内側に向かって前記第１方向に突出する前記受部として第１受部を含み、
前記第１受部は、所定方向に沿って視て、前記第１突出部と重なり、かつ、前記第１突出部よりも前記枠部の内側に突出する、請求項１に記載の洗浄用保持具。
【請求項３】
前記受部は、前記所定方向に沿って視て、前記枠部から前記枠部の内側に向かって前記第２方向に突出する前記受部として第２受部を含み、
前記第２受部は、前記所定方向に沿って視て、前記第２突出部と重なり、かつ、前記第２突出部よりも前記枠部の内側に突出する、請求項２に記載の洗浄用保持具。
【請求項４】
前記枠部における前記第１方向一方側の部分に設けられる前記第１突出部の先端と前記枠部における前記第１方向他方側の部分に設けられる前記第１突出部の先端との間の前記第１方向の距離は、前記洗浄対象物の前記第１方向の寸法よりも大きく、
前記枠部における前記第２方向一方側の部分に設けられる前記第２突出部の先端と前記枠部における前記第２方向他方側の部分に設けられる前記第２突出部の先端との間の前記第２方向の距離は、前記洗浄対象物の前記第２方向の寸法よりも大きい、請求項１から３のいずれか一項に記載の洗浄用保持具。
【請求項５】
前記第１方向に延び、前記第２方向に並んで配置される複数の第１梁部と、
前記第２方向に延び、前記第１方向に並んで配置される複数の第２梁部と、
をさらに備え、
前記枠部は、前記所定方向と直交する平面に沿って複数設けられ、
前記複数の第１梁部と前記複数の第２梁部とは、格子状に配置され、前記複数の枠部同士を繋ぐ、請求項１から４のいずれか一項に記載の洗浄用保持具。
【請求項６】
前記第２梁部は、前記所定方向に沿って視て、前記受部と重なる、請求項５に記載の洗浄用保持具。
【請求項７】
前記洗浄用保持具は、前記所定方向に積層可能であり、
前記第２梁部は、前記枠部よりも前記所定方向一方側に突出し、かつ、前記洗浄用保持具が積層された際に、前記所定方向一方側に隣り合って配置される前記洗浄用保持具に保持される前記洗浄対象物の前記所定方向他方側に対向して配置される、請求項５または６に記載の洗浄用保持具。
【請求項８】
前記所定方向に隣り合って積層された前記洗浄用保持具同士において、前記所定方向一方側に配置された前記洗浄用保持具における前記受部の前記所定方向他方側の端部と、前記所定方向他方側に配置された前記洗浄用保持具における前記第２梁部の前記所定方向一方側の端部との間の前記所定方向の距離は、前記洗浄対象物の前記所定方向の寸法よりも大きい、請求項７に記載の洗浄用保持具。
【請求項９】
前記第２突出部は、前記所定方向に沿って視て、前記第２梁部と重なる、請求項６から８のいずれか一項に記載の洗浄用保持具。
【請求項１０】
前記第１突出部は、前記枠部における前記第１方向両側の部分に前記第２方向に並んで複数ずつ設けられる、請求項１から９のいずれか一項に記載の洗浄用保持具。
【請求項１１】
前記第２突出部は、前記枠部における前記第２方向両側の部分に前記第１方向に並んで複数ずつ設けられる、請求項１０に記載の洗浄用保持具。
【請求項１２】
矩形枠状の額縁部と、
前記額縁部の角部から前記所定方向に突出し、前記額縁部を支持する支持突部と、
をさらに備え、
前記枠部は、前記所定方向と直交する平面に沿って複数設けられ、
前記額縁部は、前記複数の枠部を囲み、
前記支持突部は、前記所定方向と直交する方向に前記支持突部を貫通する孔部を有する、請求項１から１１のいずれか一項に記載の洗浄用保持具。
【発明の詳細な説明】
【技術分野】
【０００１】
本発明は、洗浄用保持具に関する。
【背景技術】
【０００２】
洗浄対象物を保持する洗浄用保持具が知られる。例えば、特許文献１には、洗浄用保持具として、洗浄対象物をレンズとする載置台が記載される。
【先行技術文献】
【特許文献】
【０００３】
【特許文献１】特開平８−１２２６０４号公報
【発明の概要】
【発明が解決しようとする課題】
【０００４】
上記のような洗浄用保持具を用いて洗浄対象物を洗浄する際には、例えば、洗浄対象物を保持した洗浄用保持具を、洗浄液が収容された複数の液槽に順次入れて洗浄液に浸ける場合がある。この場合、１つの液槽内に洗浄用保持具を入れた後、次の液槽内に洗浄用保持具を入れる際に、洗浄用保持具に洗浄液が付着したままでは、次の液槽内の洗浄液が汚染される場合がある。そのため、洗浄用保持具を液槽内において洗浄液に浸けた後には、洗浄用保持具に付着した洗浄液を十分に落とすことが好ましい。
【０００５】
しかし、従来の洗浄用保持具では、液抜け性が不十分で、洗浄用保持具から洗浄液が抜けにくい場合があった。そのため、洗浄液に浸けた洗浄用保持具を液槽から取り出した後に、洗浄用保持具に洗浄液が付着したままとなりやすく、洗浄用保持具に付着した洗浄液を落とす手間が大きい場合があった。したがって、従来の洗浄用保持具では、洗浄対象物を洗浄する作業の効率を十分に向上できない問題があった。
【０００６】
本発明は、上記事情に鑑みて、液抜け性に優れた洗浄用保持具を提供することを目的の一つとする。
【課題を解決するための手段】
【０００７】
本発明の洗浄用保持具の一つの態様は、洗浄対象物を保持する洗浄用保持具であって、前記洗浄用保持具を所定方向に貫通する貫通孔を囲む枠状の枠部と、前記所定方向に沿って視て、前記枠部から前記枠部の内側に向かって前記所定方向と直交する第１方向に突出する第１突出部と、前記所定方向に沿って視て、前記枠部から前記枠部の内側に向かって、前記所定方向および前記第１方向の両方と直交する第２方向に突出する第２突出部と、前記所定方向に沿って視て、前記枠部の内側に配置される複数の受部と、少なくとも前記第１突出部の先端と前記第２突出部の先端と前記受部とによって構成され、前記洗浄対象物が収容される収容部と、を備え、前記第１突出部は、前記枠部における前記第１方向両側の部分に少なくとも１つずつ設けられ、かつ、前記収容部に収容される前記洗浄対象物を前記第１方向両側において支持可能であり、前記第２突出部は、前記枠部における前記第２方向両側の部分に少なくとも１つずつ設けられ、かつ、前記収容部に収容される前記洗浄対象物を前記第２方向両側において支持可能であり、前記複数の受部は、前記収容部に収容される前記洗浄対象物を前記所定方向一方側において支持可能であり、かつ、互いに離れた位置に配置される。
【発明の効果】
【０００８】
本発明の一つの態様によれば、液抜け性に優れた洗浄用保持具が提供される。
【図面の簡単な説明】
【０００９】
【図１】図１は、第１実施形態の洗浄用保持具を示す斜視図である。
【図２】図２は、第１実施形態の洗浄用保持具の一部を示す斜視図である。
【図３】図３は、第１実施形態の洗浄用保持具の一部を上側から視た図である。
【図４】図４は、第１実施形態の洗浄用保持具の一部を示す斜視図である。
【図５】図５は、第１実施形態の洗浄用保持具の一部を上側から視た図である。
【図６】図６は、第１実施形態の洗浄用保持具の使用状態の一例を示す斜視図である。
【図７】図７は、第１実施形態の洗浄用保持具の一部を示す斜視図である。
【図８】図８は、第１実施形態の洗浄用保持具の一部を示す図であって、図５におけるVIII−VIII断面図である。
【図９】図９は、第２実施形態の洗浄用保持具の一部を上側から視た図である。
【発明を実施するための形態】
【００１０】
各図に適宜示すＸＹＺ座標系のうち、Ｚ軸方向は、上下方向と平行な方向である。Ｙ軸方向は、Ｚ軸方向と直交する方向である。Ｘ軸方向は、Ｚ軸方向およびＹ軸方向の両方と直交する方向である。Ｚ軸方向を「上下方向Ｚ」と呼ぶ。Ｙ軸方向を「縦方向Ｙ」と呼ぶ。Ｘ軸方向を「横方向Ｘ」と呼ぶ。また、Ｚ軸方向の負の側を「下側」と呼び、Ｚ軸方向の正の側を「上側」と呼ぶ。Ｙ軸方向の負の側を「縦方向一方側」と呼び、Ｙ軸方向の正の側を「縦方向他方側」と呼ぶ。Ｘ軸方向の負の側を「横方向一方側」と呼び、Ｘ軸方向の正の側を「横方向他方側」と呼ぶ。
【００１１】
以下の実施形態において、上下方向Ｚは、所定方向に相当し、縦方向Ｙは、第２方向に相当し、横方向Ｘは、第１方向に相当する。また、上側は、所定方向他方側に相当し、下側は、所定方向一方側に相当する。縦方向一方側は、第２方向一方側に相当し、縦方向他方側は、第２方向他方側に相当する。横方向一方側は、第１方向一方側に相当し、横方向他方側は、第１方向他方側に相当する。なお、上下方向、縦方向、横方向、上側および後側とは、単に各部の相対位置関係を説明するための名称であり、実際の配置関係等は、これらの名称で示される配置関係等以外の配置関係等であってもよい。
【００１２】
＜第１実施形態＞
図１に示すように、本実施形態の洗浄用保持具１０は、上下方向Ｚと直交する方向に拡がるトレイである。洗浄用保持具１０は、上下方向Ｚに積層可能である。洗浄用保持具１０は、上下方向Ｚに沿って視て、略正方形状である。洗浄用保持具１０は、洗浄対象物Ｍを保持する。洗浄対象物Ｍとしては、例えば、カメラモジュールが挙げられる。洗浄用保持具１０は、額縁部１１と、支持突部１３と、ガイド突部１２と、複数の保持部７０と、を備える。
【００１３】
額縁部１１は、矩形枠状である。より詳細には、額縁部１１は、略正方形枠状である。額縁部１１は、横方向Ｘに延び縦方向Ｙに対向する２つの横延伸部と、縦方向Ｙに延び横方向Ｘに対向する２つの縦延伸部と、によって略正方形枠状に構成される。額縁部１１の横延伸部は、横延伸部を上下方向Ｚに貫通し横方向Ｘに延びる孔を有する。額縁部１１の縦延伸部は、縦延伸部を上下方向Ｚに貫通し縦方向Ｙに延びる孔を有する。
【００１４】
以下の説明においては、上下方向Ｚに沿って視て、額縁部１１の外縁と額縁部１１の内縁との位置関係において、額縁部１１の内縁を基準として額縁部１１の外縁が位置する側を単に「外縁側」と呼び、額縁部１１の外縁を基準として額縁部１１の内縁が位置する側を単に「内縁側」と呼ぶ。
【００１５】
支持突部１３は、額縁部１１の角部１１ａから上下方向Ｚに突出する。より詳細には、支持突部１３は、額縁部１１の４つの角部１１ａから下側に突出する。支持突部１３は、上下方向Ｚに沿って視て、角部１１ａの外形に沿った略Ｌ字形状である。支持突部１３の外縁側の側面は、額縁部１１の外縁側の側面と繋がる。
【００１６】
図２に示すように、支持突部１３は、上下方向Ｚと直交する方向に支持突部１３を貫通する孔部１３ａを有する。本実施形態において孔部１３ａは、上下方向Ｚと直交する方向のうち、横方向Ｘおよび縦方向Ｙの両方に対して４５°傾く方向に支持突部１３を貫通する。孔部１３ａは、略Ｌ字形状の支持突部１３における屈曲部分に設けられる。孔部１３ａは、下側に開口する。
【００１７】
支持突部１３は、額縁部１１を下側から支持する。図２に二点鎖線で示すように、洗浄用保持具１０の上側に他の洗浄用保持具１０が積層される場合、上側に積層された他の洗浄用保持具１０における支持突部１３の下端部は、下側に位置する洗浄用保持具１０における角部１１ａの上面に接触する。上下方向Ｚに隣り合って積層される洗浄用保持具１０において、各洗浄用保持具１０の額縁部１１同士は、支持突部１３の上下方向Ｚの寸法に応じて、上下方向Ｚに間隔を空けて配置される。
【００１８】
ガイド突部１２は、額縁部１１の角部１１ａから上下方向Ｚに突出する。より詳細には、図１に示すように、ガイド突部１２は、額縁部１１の４つの角部１１ａのうちの３つから上側に突出する。ガイド突部１２は、上下方向Ｚに沿って視て、角部１１ａの外形に沿った略Ｌ字形状である。ガイド突部１２は、額縁部１１の外縁よりも内縁側に離れて配置される。ガイド突部１２は、支持突部１３よりも額縁部１１の内縁側に配置される。
【００１９】
図２に示すように、ガイド突部１２は、上下方向Ｚと直交する方向にガイド突部１２を貫通する孔部１２ａを有する。本実施形態において孔部１２ａは、上下方向Ｚと直交する方向のうち、横方向Ｘおよび縦方向Ｙの両方に対して４５°傾く方向にガイド突部１２を貫通する。孔部１２ａは、略Ｌ字形状のガイド突部１２における屈曲部分に設けられる。孔部１２ａは、上側に開口する。
【００２０】
ガイド突部１２は、洗浄用保持具１０が積層される際に、支持突部１３を案内する。具体的には、ガイド突部１２は、支持突部１３の内縁側に位置し、上下方向Ｚと直交する方向において、支持突部１３を位置決めする。これにより、複数の洗浄用保持具１０を精度よく積層しやすい。上下方向Ｚに隣り合って積層された洗浄用保持具１０において、横方向Ｘおよび縦方向Ｙの両方に対して４５°傾く方向に沿って視て、上側の洗浄用保持具１０における支持突部１３の孔部１３ａと下側の洗浄用保持具１０におけるガイド突部１２の孔部１２ａとは、互いに重なる。
【００２１】
複数の保持部７０は、額縁部１１の内側に設けられる。複数の保持部７０は、横方向Ｘおよび縦方向Ｙに沿って格子状に配置される。保持部７０のそれぞれには、洗浄対象物Ｍが保持される。本実施形態において洗浄用保持具１０は、複数の洗浄対象物Ｍを保持可能である。
【００２２】
図２および図３に示すように、保持部７０は、枠部２０と、第１突出部３１と、第２突出部３２と、複数の受部４０と、収容部６０と、を有する。すなわち、洗浄用保持具１０は、枠部２０と、第１突出部３１と、第２突出部３２と、複数の受部４０と、収容部６０と、を備える。
【００２３】
図３に示すように、枠部２０は、略正方形枠状である。枠部２０の内側は、洗浄用保持具１０を上下方向Ｚに貫通する貫通孔２１である。すなわち、枠部２０は、洗浄用保持具１０を上下方向Ｚに貫通する貫通孔２１を囲む枠状である。貫通孔２１は、上下方向Ｚに沿って視て、略正方形状である。貫通孔２１は、後述する第２受部４２によって横方向Ｘに分断される。枠部２０は、横方向Ｘに延び縦方向Ｙに対向する２つの横延伸部２０ａと、縦方向Ｙに延び横方向Ｘに対向する２つの縦延伸部２０ｂと、によって略正方形枠状に構成される。
【００２４】
本実施形態では保持部７０が横方向Ｘおよび縦方向Ｙに沿って格子状に配置されるため、枠部２０は、上下方向Ｚと直交する平面に沿って格子状に複数設けられる。保持部７０のうち縦方向Ｙの両端に位置する保持部７０における枠部２０、および保持部７０のうち横方向Ｘの両端に位置する保持部７０における枠部２０は、額縁部１１の内縁に繋がる。横方向Ｘあるいは縦方向Ｙに隣り合う保持部７０における枠部２０同士は、互いに繋がる。
【００２５】
本実施形態においては、例えば、板状部材に複数の貫通孔２１が横方向Ｘおよび縦方向Ｙに沿って格子状に設けられることで、複数の枠部２０および複数の枠部２０を囲む額縁部１１が構成される。
【００２６】
第１突出部３１は、上下方向Ｚに沿って視て、枠部２０から枠部２０の内側に向かって上下方向Ｚと直交する横方向Ｘに突出する。第１突出部３１の先端部は、丸みを帯びる。第１突出部３１は、上下方向Ｚに沿って視て、貫通孔２１と重なる。図２に示すように、本実施形態において第１突出部３１は、枠部２０の上面に配置される。第１突出部３１は、横方向両側の縦延伸部２０ｂに少なくとも１つずつ設けられる。本実施形態では、第１突出部３１は、横方向両側の縦延伸部２０ｂに縦方向Ｙに並んで複数ずつ設けられる。
【００２７】
図３に示すように、第１突出部３１は、第１突出部３１として、第１突出部３１ａおよび第１突出部３１ｂを含む。第１突出部３１ａは、横方向一方側の縦延伸部２０ｂから横方向他方側に突出する第１突出部３１である。第１突出部３１ａは、横方向一方側の縦延伸部２０ｂに縦方向Ｙに並んで２つ設けられる。第１突出部３１ｂは、横方向他方側の縦延伸部２０ｂから横方向一方側に突出する第１突出部３１である。第１突出部３１ｂは、横方向他方側の縦延伸部２０ｂに縦方向Ｙに並んで２つ設けられる。このように、本実施形態において第１突出部３１は、保持部７０ごとに合計４つずつ設けられる。
【００２８】
２つの第１突出部３１ａは、横方向一方側の縦延伸部２０ｂを縦方向Ｙに略３等分する位置に配置される。２つの第１突出部３１ｂは、横方向他方側の縦延伸部２０ｂを縦方向Ｙに略３等分する位置に配置される。２つの第１突出部３１ａと２つの第１突出部３１ｂとは、それぞれ横方向Ｘに対向して配置される。
【００２９】
横方向Ｘに隣り合う保持部７０において、横方向一方側の保持部７０における第１突出部３１ｂの横方向他方側の端部と、横方向他方側の保持部７０における第１突出部３１ａの横方向一方側の端部とは、互いに繋がって横方向Ｘに延びる棒状の部分を構成する。
【００３０】
なお、本実施形態において、横方向両側の縦延伸部２０ｂは、枠部２０における第１方向両側の部分に相当する。横方向一方側の縦延伸部２０ｂは、枠部２０における第１方向一方側の部分に相当する。横方向他方側の縦延伸部２０ｂは、枠部２０における第１方向他方側の部分に相当する。
【００３１】
第２突出部３２は、上下方向Ｚに沿って視て、枠部２０から枠部２０の内側に向かって、上下方向Ｚおよび横方向Ｘの両方と直交する縦方向Ｙに突出する。第２突出部３２の先端部は、丸みを帯びる。図２に示すように、本実施形態において第２突出部３２は、枠部２０の上面に配置される。第２突出部３２は、縦方向両側の横延伸部２０ａに少なくとも１つずつ設けられる。本実施形態では、第２突出部３２は、縦方向両側の横延伸部２０ａに１つずつ設けられる。
【００３２】
図３に示すように、第２突出部３２は、第２突出部３２として、第２突出部３２ａおよび第２突出部３２ｂを含む。第２突出部３２ａは、縦方向一方側の横延伸部２０ａから縦方向他方側に突出する第２突出部３２である。第２突出部３２ａは、縦方向一方側の横延伸部２０ａの横方向Ｘの中央に１つ設けられる。第２突出部３２ｂは、縦方向他方側の横延伸部２０ａから縦方向一方側に突出する第２突出部３２である。第２突出部３２ｂは、縦方向他方側の横延伸部２０ａの横方向Ｘの中央に１つ設けられる。このように、本実施形態において第２突出部３２は、保持部７０ごとに合計２つずつ設けられる。
【００３３】
縦方向Ｙに隣り合う保持部７０において、縦方向一方側の保持部７０における第２突出部３２ｂの縦方向他方側の端部と、縦方向他方側の保持部７０における第２突出部３２ａの縦方向一方側の端部とは、互いに繋がって縦方向Ｙに延びる棒状の部分を構成する。
【００３４】
なお、本実施形態において、縦方向両側の横延伸部２０ａは、枠部２０における第２方向両側の部分に相当する。縦方向一方側の横延伸部２０ａは、枠部２０における第２方向一方側の部分に相当する。縦方向他方側の横延伸部２０ａは、枠部２０における第２方向他方側の部分に相当する。
【００３５】
複数の受部４０は、上下方向Ｚに沿って視て、枠部２０の内側に配置される。本実施形態において受部４０は、受部４０として、第１受部４１ａ，４１ｂおよび第２受部４２を含む。第１受部４１ａ，４１ｂは、上下方向Ｚに沿って視て、枠部２０から枠部２０の内側に向かって横方向Ｘに突出する受部４０である。図２に示すように、第１受部４１ａ，４１ｂは、枠部２０の内側面、すなわち貫通孔２１の内側面から横方向Ｘに突出する。第１受部４１ａ，４１ｂは、上下方向Ｚに沿って視て、貫通孔２１と重なる。第１受部４１ａ，４１ｂの先端部は、丸みを帯びる。第１受部４１ａ，４１ｂの上面は、上下方向Ｚと直交する平坦な面である。
【００３６】
第１受部４１ａは、枠部２０の内側面のうち横方向一方側の面から横方向他方側に突出する。第１受部４１ａは、縦方向Ｙに並んで２つ設けられる。図３に示すように、２つの第１受部４１ａの縦方向Ｙの位置は、２つの第１突出部３１ａの縦方向Ｙの位置とそれぞれ同じである。第１受部４１ａは、上下方向Ｚに沿って視て、第１突出部３１ａと重なり、かつ、第１突出部３１ａよりも枠部２０の内側に突出する。本実施形態において第１受部４１ａの縦方向Ｙの寸法は、第１突出部３１ａの縦方向Ｙの寸法と同じである。図２に示すように、第１受部４１ａの横方向一方側の端部は、第１突出部３１ａの横方向他方側の端部の下側に位置し、第１突出部３１ａの横方向他方側の端部と繋がる。
【００３７】
第１受部４１ｂは、枠部２０の内側面のうち横方向他方側の面から横方向一方側に突出する。第１受部４１ｂは、縦方向Ｙに並んで２つ設けられる。図３に示すように、２つの第１受部４１ｂの縦方向Ｙの位置は、２つの第１突出部３１ｂの縦方向Ｙの位置とそれぞれ同じである。第１受部４１ｂは、上下方向Ｚに沿って視て、第１突出部３１ｂと重なり、かつ、第１突出部３１ｂよりも枠部２０の内側に突出する。本実施形態において第１受部４１ｂの縦方向Ｙの寸法は、第１突出部３１ｂの縦方向Ｙの寸法と同じである。図２に示すように、第１受部４１ｂの横方向他方側の端部は、第１突出部３１ｂの横方向一方側の端部の下側に位置し、第１突出部３１ｂの横方向一方側の端部と繋がる。
【００３８】
第２受部４２は、上下方向Ｚに沿って視て、枠部２０から枠部２０の内側に向かって縦方向Ｙに突出する受部４０である。第２受部４２の上面は、上下方向Ｚと直交する平坦な面である。第２受部４２は、枠部２０の内側面、すなわち貫通孔２１の内側面から縦方向Ｙに突出する。第２受部４２は、枠部２０の内側面のうち縦方向一方側の面から枠部２０の内側面のうち縦方向他方側の面まで延びる。第２受部４２は、上下方向Ｚに沿って視て、貫通孔２１と重なり、貫通孔２１を横方向Ｘに分断する。
【００３９】
図３に示すように、第２受部４２の横方向Ｘの位置は、第２突出部３２ａ，３２ｂの横方向Ｘの位置と同じである。第２受部４２は、上下方向Ｚに沿って視て、第２突出部３２ａ，３２ｂと重なり、かつ、第２突出部３２ａ，３２ｂよりも枠部２０の内側に突出する。本実施形態において第２受部４２の横方向Ｘの寸法は、第２突出部３２ａ，３２ｂの横方向Ｘの寸法と同じである。図２に示すように、第２受部４２の縦方向一方側の端部は、第２突出部３２ａの縦方向他方側の端部の下側に位置し、第２突出部３２ａの縦方向他方側の端部と繋がる。第２受部４２の縦方向他方側の端部は、第２突出部３２ｂの縦方向一方側の端部の下側に位置し、第２突出部３２ｂの縦方向他方側の端部と繋がる。
【００４０】
以上のように、本実施形態において受部４０は、保持部７０ごとに、２つの第１受部４１ａと、２つの第１受部４１ｂと、１つの第２受部４２との合計５つずつ設けられる。複数の受部４０、すなわち２つの第１受部４１ａと２つの第１受部４１ｂと１つの第２受部４２とは、互いに離れた位置に配置される。
【００４１】
収容部６０は、少なくとも第１突出部３１の先端と第２突出部３２の先端と受部４０とによって構成される。本実施形態において収容部６０は、第１突出部３１ａ，３１ｂの先端と第２突出部３２ａ，３２ｂの先端と第１受部４１ａ，４１ｂの上面と第２受部４２の上面とによって構成される。図４および図５に示すように、収容部６０には、洗浄対象物Ｍが収容される。
【００４２】
収容部６０に収容された状態において、洗浄対象物Ｍは、各突出部および複数の受部４０によって支持される。第１突出部３１ａ，３１ｂは、収容部６０に収容される洗浄対象物Ｍを横方向両側において支持可能である。第２突出部３２ａ，３２ｂは、収容部６０に収容される洗浄対象物Ｍを縦方向両側において支持可能である。これにより、第１突出部３１ａ，３１ｂによって洗浄対象物Ｍの横方向Ｘの移動を抑制でき、第２突出部３２ａ，３２ｂによって洗浄対象物Ｍの縦方向Ｙの移動を抑制できる。複数の受部４０は、収容部６０に収容される洗浄対象物Ｍを下側において支持可能である。これにより、受部４０によって洗浄対象物Ｍの上下方向Ｚの移動を抑制できる。以上により、枠部２０の内縁、すなわち貫通孔２１の内縁よりも内側において収容部６０に洗浄対象物Ｍを収容して保持できる。
【００４３】
本実施形態においては、第１突出部３１が横方向両側の縦延伸部２０ｂに縦方向Ｙに並んで複数ずつ設けられるため、洗浄対象物Ｍを横方向Ｘに安定して支持しやすい。また、収容部６０に収容された洗浄対象物Ｍが上下方向Ｚと平行な軸周りに回転することを抑制しやすい。
【００４４】
図６に示すように、例えば、洗浄用保持具１０は、収容部６０に洗浄対象物Ｍが収容された状態で複数積層され、洗浄液Ｃが収容された液槽に入れられて洗浄液Ｃに浸けられる。このとき、洗浄用保持具１０の姿勢は、上下方向Ｚが鉛直方向と直交し、横方向Ｘおよび縦方向Ｙが鉛直方向に対して斜め４５°を向く方向となる姿勢とする。図６に示す洗浄用保持具１０の姿勢では、支持突部１３のうちの一つおよびガイド突部１２のうちの一つが設けられた角部１１ａが鉛直方向下端部となり、孔部１２ａ，１３ａは、鉛直方向下方に開口する。洗浄用保持具１０が洗浄液Ｃに浸けられた状態で、洗浄対象物Ｍには超音波が当てられる。これにより、洗浄対象物Ｍが洗浄される。この工程を、液槽を変えて複数回行うことによって、洗浄対象物Ｍの洗浄が完了する。
【００４５】
本実施形態によれば、上述したようにして洗浄対象物Ｍを貫通孔２１の内縁よりも内側において保持できるため、貫通孔２１を洗浄対象物Ｍよりも大きくしつつ、上下方向Ｚに沿って視て貫通孔２１と重なる位置に洗浄対象物Ｍを配置できる。これにより、貫通孔２１に洗浄液Ｃが通りやすくできる。したがって、洗浄液Ｃに浸けた洗浄用保持具１０を液槽内から引き上げた際に、洗浄液Ｃが貫通孔２１を介して洗浄用保持具１０から抜けやすい。そのため、洗浄液Ｃが洗浄用保持具１０に付着することを抑制できる。
【００４６】
また、上下方向Ｚと直交する方向において洗浄対象物Ｍを支持する部分が、第１突出部３１ａ，３１ｂの先端および第２突出部３２ａ，３２ｂの先端である。そのため、支持する部分と洗浄対象物Ｍとの接触面積を小さくしつつ、洗浄対象物Ｍの横方向Ｘおよび縦方向Ｙの移動を抑制できる。これにより、第１突出部３１ａ，３１ｂおよび第２突出部３２ａ，３２ｂと洗浄対象物Ｍとの間に挟まれる洗浄液Ｃの量を少なくできる。したがって、洗浄液Ｃに浸けた洗浄用保持具１０を液槽内から引き上げた後に、洗浄用保持具１０に付着したままとなる洗浄液Ｃの量を低減できる。
【００４７】
また、洗浄対象物Ｍを上下方向Ｚに支持する複数の受部４０は、互いに離れた位置に配置される。そのため、上下方向Ｚに支持する部分と洗浄対象物Ｍとの接触面積を小さくしやすく、洗浄用保持具１０に付着する洗浄液Ｃの量を低減できる。また、例えば受部がひとつながりである場合に比べて、表面張力によって各受部４０に保持される洗浄液Ｃの総量を少なくしやすい。したがって、洗浄液Ｃに浸けた洗浄用保持具１０を液槽内から引き上げた後に、洗浄用保持具１０に付着したままとなる洗浄液Ｃの量をより低減できる。
【００４８】
以上のように、本実施形態によれば、洗浄液Ｃが洗浄用保持具１０から抜けやすく、洗浄液Ｃが洗浄用保持具１０に付着したままとなることを抑制できる。すなわち、液抜け性に優れた洗浄用保持具１０が得られる。これにより、洗浄用保持具１０を異なる液槽内の洗浄液Ｃに複数回付ける場合に、洗浄用保持具１０に付着した洗浄液Ｃを落とす手間を低減でき、洗浄対象物Ｍを洗浄する作業の効率を向上できる。
【００４９】
また、貫通孔２１が洗浄対象物Ｍよりも大きいため、図６に示すように洗浄対象物Ｍが洗浄用保持具１０に保持された状態であっても、洗浄用保持具１０の外部に露出する洗浄対象物Ｍの表面積を大きくしやすい。これにより、洗浄対象物Ｍを洗浄液Ｃに浸けて超音波を当てる際に、超音波を直接的に洗浄対象物Ｍに当てやすく、洗浄対象物Ｍをより洗浄しやすい。
【００５０】
また、洗浄する際に、図６のように洗浄用保持具１０の姿勢を横方向Ｘおよび縦方向Ｙが鉛直方向に対して斜め４５°を向く方向となる姿勢とすることで、第１突出部３１、第２突出部３２および受部４０のそれぞれが延びる方向も鉛直方向に対して斜め４５°を向く方向となる。これにより、洗浄液Ｃが第１突出部３１、第２突出部３２および受部４０に沿って鉛直方向下方に流れやすくできる。したがって、洗浄液Ｃに浸けた洗浄用保持具１０を液槽内から引き上げた際に、洗浄液Ｃが鉛直方向下方へと落下しやすくでき、洗浄用保持具１０の液抜け性をより向上できる。
【００５１】
また、本実施形態によれば、支持突部１３が孔部１３ａを有する。そのため、洗浄用保持具１０の姿勢を横方向Ｘおよび縦方向Ｙが鉛直方向に対して斜め４５°を向く方向となる姿勢としたときに、孔部１３ａを介して洗浄液Ｃを鉛直方向下方へと落下させやすい。これにより、洗浄用保持具１０の液抜け性をより向上できる。
【００５２】
本実施形態では、洗浄用保持具１０を積層した際、支持突部１３の内縁側にはガイド突部１２が配置される。ガイド突部１２は支持突部１３の孔部１３ａと重なる孔部１２ａを有する。そのため、ガイド突部１２の孔部１２ａおよび支持突部１３の孔部１３ａを介して、洗浄液Ｃをより鉛直方向下方へと落下させやすい。
【００５３】
また、本実施形態によれば、第１受部４１ａ，４１ｂは、上下方向Ｚに沿って視て、第１突出部３１ａ，３１ｂと重なり、かつ、第１突出部３１ａ，３１ｂよりも枠部２０の内側に突出する。そのため、第１受部４１ａ，４１ｂによって洗浄対象物Ｍを支持しつつ、上下方向Ｚに沿って視て貫通孔２１と重なる部分を少なくできる。これにより、貫通孔２１の面積を大きくでき、洗浄用保持具１０の液抜け性をより向上できる。
【００５４】
また、本実施形態によれば、第２受部４２は、上下方向Ｚに沿って視て、第２突出部３２ａ，３２ｂと重なり、かつ、第２突出部３２ａ，３２ｂよりも枠部２０の内側に突出する。そのため、第２受部４２によって洗浄対象物Ｍを支持しつつ、上下方向Ｚに沿って視て貫通孔２１と重なる部分を少なくできる。これにより、貫通孔２１の面積をより大きくでき、洗浄用保持具１０の液抜け性をより向上できる。
【００５５】
収容部６０に収容された洗浄対象物Ｍは、収容部６０内において横方向Ｘおよび縦方向Ｙの移動がある程度許容される。具体的には、図５に示すように、横方向一方側の縦延伸部２０ｂに設けられる第１突出部３１ａの先端と横方向他方側の縦延伸部２０ｂに設けられる第１突出部３１ｂの先端との間の横方向Ｘの距離Ｌ１は、洗浄対象物Ｍの横方向Ｘの寸法Ｗよりも大きい。これにより、洗浄対象物Ｍと第１突出部３１ａ，３１ｂとの横方向Ｘの間には隙間が設けられ、洗浄対象物Ｍの横方向Ｘの移動が許容される。
【００５６】
また、縦方向一方側の横延伸部２０ａに設けられる第２突出部３２ａの先端と縦方向他方側の横延伸部２０ａに設けられる第２突出部３２ｂの先端との間の縦方向Ｙの距離Ｌ２は、洗浄対象物Ｍの縦方向Ｙの寸法Ｄよりも大きい。これにより、洗浄対象物Ｍと第２突出部３２ａ，３２ｂとの縦方向Ｙの間には隙間が設けられ、洗浄対象物Ｍの縦方向Ｙの移動が許容される。
【００５７】
このように、本実施形態によれば、洗浄対象物Ｍを収容部６０に収容した状態で洗浄対象物Ｍの横方向Ｘおよび縦方向Ｙの移動を許容することで、洗浄時に洗浄対象物Ｍを収容部６０内で動かすことができる。これにより、洗浄対象物Ｍを洗浄しやすい。また、洗浄対象物Ｍにおける洗浄用保持具１０と接触する部分が変化しやすく、洗浄対象物Ｍと洗浄用保持具１０との間に洗浄液Ｃが挟まれたままとなることを抑制できる。したがって、洗浄用保持具１０の液抜け性をより向上できる。
【００５８】
洗浄対象物Ｍと第１突出部３１ａ，３１ｂおよび第２突出部３２ａ，３２ｂとの間の隙間の大きさは、洗浄対象物Ｍに応じて決定することができる。例えば、洗浄対象物Ｍがバネによって複数の別部材が連結された構成である場合、洗浄対象物Ｍと第１突出部３１ａ，３１ｂおよび第２突出部３２ａ，３２ｂとの間の隙間の大きさは、バネが塑性変形しない範囲で洗浄対象物Ｍが移動可能に決定される。
【００５９】
図７に示すように、洗浄用保持具１０は、複数の第１梁部５１と、複数の第２梁部５２と、をさらに備える。複数の第１梁部５１は、横方向Ｘに延び、縦方向Ｙに互いに間隔を空けて並んで配置される。複数の第２梁部５２は、縦方向Ｙに延び、横方向Ｘに互いに間隔を空けて配置される。複数の第１梁部５１と複数の第２梁部５２とは、格子状に配置され、複数の枠部２０同士を繋ぐ。そのため、洗浄用保持具１０の剛性を向上させることができ、洗浄用保持具１０が変形することを抑制できる。
【００６０】
第１梁部５１は、長方形板状である。第１梁部５１の板面は、縦方向Ｙと直交する。第１梁部５１は、横延伸部２０ａから下側に突出する。第１梁部５１は、上下方向Ｚに沿って視て、横延伸部２０ａと重なる。そのため、第１梁部５１によって洗浄用保持具１０の剛性を向上させつつ、上下方向Ｚに沿って視て貫通孔２１と重なる部分を少なくできる。これにより、貫通孔２１の面積をより大きくでき、洗浄用保持具１０の液抜け性をより向上できる。
【００６１】
第１梁部５１は、額縁部１１の横方向一方側の縦延伸部から横方向他方側の横延伸部まで延びる。第１梁部５１は、横方向Ｘに並ぶ複数の枠部２０を繋ぐ。本実施形態において第１梁部５１と横延伸部２０ａとは、互いに接続されて、横方向Ｘに延びる板状の部分を構成する。第１梁部５１と横延伸部２０ａとによって構成される板状の部分の板面は、縦方向Ｙと直交する。
【００６２】
第２梁部５２は、長方形板状である。第２梁部５２の板面は、横方向Ｘと直交する。第２梁部５２は、枠部２０よりも下側に突出する。本実施形態において第２梁部５２は、第２受部４２から下側に突出する。すなわち、第２梁部５２は、上下方向Ｚに沿って視て、受部４０である第２受部４２と重なる。そのため、第２梁部５２によって洗浄用保持具１０の剛性を向上させつつ、上下方向Ｚに沿って視て貫通孔２１と重なる部分を少なくできる。これにより、貫通孔２１の面積をより大きくでき、洗浄用保持具１０の液抜け性をより向上できる。
【００６３】
上述したように、本実施形態においては、第２受部４２は、上下方向Ｚに沿って視て、第２突出部３２と重なる。そのため、第２突出部３２は、上下方向Ｚに沿って視て、第２梁部５２と重なる。これにより、第２梁部５２によって洗浄用保持具１０の剛性を向上させつつ、上下方向Ｚに沿って視て貫通孔２１と重なる部分をより少なくできる。これにより、貫通孔２１の面積をより大きくでき、洗浄用保持具１０の液抜け性をより向上できる。本実施形態においては、上下方向Ｚに沿って視て、第２突出部３２の全体が第２梁部５２と重なる。
【００６４】
第２梁部５２は、額縁部１１の縦方向一方側の横延伸部から縦方向他方側の横延伸部まで延びる。第２梁部５２は、縦方向Ｙに並ぶ複数の枠部２０を繋ぐ。本実施形態において第２梁部５２と第２受部４２とは、互いに接続されて、縦方向Ｙに延びる板状の部分を構成する。第２梁部５２と第２受部４２とによって構成される板状の部分の板面は、横方向Ｘと直交する。
【００６５】
図８に示すように、第２梁部５２は、洗浄用保持具１０が積層された際に、下側に隣り合って配置される洗浄用保持具１０に保持される洗浄対象物Ｍの上側に対向して配置される。そのため、収容部６０に収容された洗浄対象物Ｍが上側に移動することを抑制できる。これにより、収容部６０内から洗浄対象物Ｍが抜け出ることを抑制できる。
【００６６】
上下方向Ｚに隣り合って積層された洗浄用保持具１０同士において、下側に配置された洗浄用保持具１０における受部４０の上側の端部と、上側に配置された洗浄用保持具１０における第２梁部５２の下側の端部との間の上下方向Ｚの距離Ｌ３は、洗浄対象物Ｍの上下方向Ｚの寸法Ｈよりも大きい。これにより、下側に配置された洗浄用保持具１０の収容部６０に収容された洗浄対象物Ｍと、上側に配置された洗浄用保持具１０の第２梁部５２との上下方向Ｚの間には隙間が設けられる。したがって、収容部６０に収容された洗浄対象物Ｍは、収容部６０内において上下方向Ｚの移動がある程度許容される。そのため、洗浄対象物Ｍをより洗浄しやすい。
【００６７】
＜第２実施形態＞
図９に示すように、本実施形態の洗浄用保持具１１０における保持部１７０においては、第２突出部１３２は、縦方向両側の横延伸部２０ａに横方向Ｘに並んで複数ずつ設けられる。そのため、洗浄対象物Ｍを縦方向Ｙに安定して支持しやすい。また、収容部１６０に収容された洗浄対象物Ｍが上下方向Ｚと平行な軸周りに回転することをより抑制しやすい。
【００６８】
第２突出部１３２は、第２突出部１３２として、第２突出部１３２ａおよび第２突出部１３２ｂを含む。第２突出部１３２ａは、縦方向一方側の横延伸部２０ａから横方向他方側に突出する第２突出部１３２である。第２突出部１３２ａは、縦方向一方側の横延伸部２０ａに横方向Ｘに並んで２つ設けられる。第２突出部１３２ｂは、縦方向他方側の横延伸部２０ａから縦方向一方側に突出する第２突出部１３２である。第２突出部１３２ｂは、縦方向他方側の横延伸部２０ａに横方向Ｘに並んで２つ設けられる。このように、本実施形態において第２突出部１３２は、保持部１７０ごとに合計４つずつ設けられる。
【００６９】
２つの第２突出部１３２ａは、縦方向一方側の横延伸部２０ａを横方向Ｘに略３等分する位置に配置される。２つの第２突出部１３２ａは、上下方向Ｚに沿って視て、第２受部４２の横方向両側に配置される。２つの第２突出部１３２ｂは、縦方向他方側の横延伸部２０ａを横方向Ｘに略３等分する位置に配置される。２つの第２突出部１３２ｂは、上下方向Ｚに沿って視て、第２受部４２の横方向両側に配置される。２つの第２突出部１３２ａと２つの第２突出部１３２ｂとは、それぞれ縦方向Ｙに対向して配置される。
【００７０】
縦方向Ｙに隣り合う保持部１７０において、縦方向一方側の保持部１７０における第２突出部１３２ｂの縦方向他方側の端部と、縦方向他方側の保持部１７０における第２突出部１３２ａの縦方向一方側の端部とは、互いに繋がって縦方向Ｙに延びる棒状の部分を構成する。
【００７１】
本発明は上述の実施形態に限られず、他の構成を採用することもできる。第１突出部３１が横方向両側の縦延伸部２０ｂに少なくとも１つずつ設けられるならば、第１突出部３１の数は、特に限定されない。横方向一方側の縦延伸部２０ｂに設けられる第１突出部３１の数と横方向他方側の縦延伸部２０ｂに設けられる第１突出部３１の数とが、互いに異なってもよい。第２突出部３２が縦方向両側の横延伸部２０ａに少なくとも１つずつ設けられるならば、第２突出部３２の数は、特に限定されない。縦方向一方側の横延伸部２０ａに設けられる第１突出部３１の数と縦方向他方側の横延伸部２０ａに設けられる第２突出部３２の数とが、互いに異なってもよい。
【００７２】
保持部７０，１７０は、格子状に配置されなくてもよい。保持部７０，１７０の数は、特に限定されず、例えば、１つであってもよい。枠部２０の形状は、特に限定されず、例えば、円形枠状であってもよいし、楕円形枠状であってもよいし、四角形以外の多角形枠状であってもよい。第１梁部５１は、上下方向Ｚに沿って視て、横延伸部２０ａと重ならない位置に設けられてもよい。第２梁部５２は、上下方向Ｚに沿って視て、第２受部４２と重ならない位置に設けられてもよい。第２梁部５２は、上下方向Ｚに沿って視て、縦延伸部２０ｂと重なる位置に設けられてもよい。第１梁部５１および第２梁部５２の少なくとも一方は、設けられなくてもよい。洗浄用保持具１０，１１０は、積層可能でなくてもよい。
【００７３】
上記各実施形態の洗浄用保持具１０，１１０で洗浄される洗浄対象物Ｍは、特に限定されず、カメラモジュール以外であってもよい。上記の各構成は、相互に矛盾しない範囲内において、適宜組み合わせることができる。
【符号の説明】
【００７４】
１０，１１０…洗浄用保持具、１１…額縁部、１１ａ…角部、１３ａ…孔部、１３…支持突部、２０…枠部、２１…貫通孔、３１，３１ａ，３１ｂ…第１突出部、３２，３２ａ，３２ｂ，１３２，１３２ａ，１３２ｂ…第２突出部、４０…受部、４１ａ，４１ｂ…第１受部、４２…第２受部、５１…第１梁部、５２…第２梁部、６０，１６０…収容部、Ｍ…洗浄対象物、Ｘ…横方向（第１方向）、Ｙ…縦方向（第２方向）、Ｚ…上下方向（所定方向）
【図１】
2018202271.tif 000003
【図２】
2018202271.tif 000004
【図３】
2018202271.tif 000005
【図４】
2018202271.tif 000006
【図５】
2018202271.tif 000007
【図６】
2018202271.tif 000008
【図７】
2018202271.tif 000009
【図８】
2018202271.tif 000010
【図９】
2018202271.tif 000011